(57)【特許請求の範囲】
【請求項１】
可撓性を有するネット材に芝生マットを一体化させて成る河川の植生護岸に用いる植生マットであって、河川の増水時に流水による土の吸い出しを防止するために前記ネット材の下面に不織布が装着されており、前記ネット材の少なくとも一側辺が、前記芝生マットの端部から張り出していることを特徴とする植生マット。
【請求項２】
請求項１に記載の植生マットを、河川の植生護岸域に張設することで河川の増水時に流水による土の吸い出しを防止することを特徴とする植生マットの施工方法。
【請求項３】
前記植生マットを隣接させ、上流側の植生マットの端部を、下流側の植生マットの張り出したネット材に上方から重ね合わせることを特徴とする請求項２に記載の植生マットの施工方法。
【発明の詳細な説明】
【０００１】
【発明の属する技術分野】
本発明は、たとえば河川の堤防などの植生護岸に用いる植生マットおよびその施工方法に関する。
【０００２】
【従来の技術】
たとえば河川堤防の護岸に際して、主として防災の見地から、コンクリートブロックを堤防の法面に張り付ける張りブロック工法が施工されてきたが、近年では、親水護岸の形成など景観的見地から、また、コスト面から、芝生による護岸の形成が要望されつつある。
【０００３】
そこで、圃場で生育させた芝生マットを河川沿岸の護岸域法面に施工する工法が採用されるようになったが、従来の工法では、単に芝生マットを法面に張り付けていたことと、芝の根の法面への侵入深さが比較的浅かったことから、たとえば河川の増水時に、流水によって芝生マットが簡単に剥がれて流失してしまい、護岸機能を早期に失って、流水による法面の浸食が起こり易いという問題があった。
【０００４】
そこで、本発明者は、上述の問題を解決するために、特願平１１−１８１２６２号の明細書および図面において植生マットとその製造方法を提案している。すなわち、可撓性を有するネット材に芝生マットを一体化させて成る植生マットであり、この植生マットは、可撓性を有するネット材を圃場に敷設し、このネット材の上に、別途圃場で生育させた芝生マットを敷き詰め、この芝生マットの根をネット材に絡ませた後、芝生マット付きのネット材を圃場から剥がし取ることで製造される。
【０００５】
この植生マットとその製造方法によれば、芝生マットの強い表層根がネット材に強固に根絡みした保形性の高い植生マットが得られるのであって、この植生マットを法面などに敷き詰めて、この植生マットあるいはネット材をアンカー等によって止着すれば、芝生マットがネット材に強固に根絡みしていることから、実質的に芝生マットを、ネット材を介して法面などに強固に張り付けることができるのであり、かつ芝生マットは時を経て法面などに強固に根張りすることになるのである。
【０００６】
そのため、芝生マットを形成する野芝が良好に生育し、法面の全面を覆っている時には、野芝に接触する流水が相当の流速となっても野芝が剥がれることはない。
【０００７】
【発明が解決しようとする課題】
しかし、上記の構成からなる植生マットとその製造方法では、植生マットの施工後、経年的に野芝の欠損箇所が増加したり、野芝が周囲の他の植物に置き換わることがあると考えられる。このように、施工時や施工後の芝生マットに芝生の欠落部分が生じると、たとえば増水時の流水によってその欠落部分から土が吸い出されてしまう。
【０００８】
また、上記の植生マットを大きくし過ぎることは、必然的にその重量を大きくすることになり、人力で施工することなどを考慮に入れると、得策ではない。そのため、植生マットの施工に関しては、多くの枚数の植生マットが必要となるケースが多く、必然的に植生マットどうしの接合箇所も多くなる。そして、この接合箇所には、流水による接合箇所からの土の吸い出しを防止するために、吸出し防止シートが現場で施工されることとなるが、上述のように、接合箇所が多くなるため、施工面でのコストが上昇する。
【０００９】
本発明は上述の事柄に留意してなされたもので、その目的は、流水による土の吸い出しを防止することができ、かつ施工面でのコストを下げることが可能な植生マットと、その施工方法を提供することである。
【００１０】
【課題を解決するための手段】
上記目的を達成するために、本発明の植生マットは、可撓性を有するネット材に芝生マットを一体化させて成る河川の植生護岸に用いる植生マットであって、河川の増水時に流水による土の吸い出しを防止するために前記ネット材の下面に不織布が装着されており、前記ネット材の少なくとも一側辺が、前記芝生マットの端部から張り出している（請求項１）。
【００１１】
【００１２】
上記の構成により、流水による土の吸い出しを防止することができ、かつ施工面でのコストを下げることが可能な植生マットを提供することができる。
【００１３】
また、本発明の植生マットの施工方法は、請求項１に記載の植生マットを、河川の植生護岸域に張設することで河川の増水時に流水による土の吸い出しを防止することを特徴としている（請求項２）。また、前記植生マットを隣接させ、上流側の植生マットの端部を、下流側の植生マットの張り出したネット材に上方から重ね合わせることを特徴とする請求項２に記載の植生マットの施工方法を提供する（請求項３）。
【００１４】
上記の構成により、流水による土の吸い出しを防止することができ、かつ施工面でのコストを下げることが可能な植生マットの施工方法を提供することができる。
【００１５】
【発明の実施の形態】
以下、この発明の実施例を、図を参照しながら説明する。
図１および図２は、本発明の第一実施例に係る植生マットＤとその施工方法の構成を概略的に示す斜視図である。
植生マットＤは、たとえば平面視が２０００ｍｍ×３０００ｍｍの長方形状のものや、２０００ｍｍ×２０００ｍｍの正方形状のものであって、下面に不織布１が配置された可撓性を有するネット材２に芝生マット３を一体化させて成るものである。
【００１６】
前記不織布１は、平面視がほぼ矩形状で、化学繊維目付量が４０〜８０ｇ／ｍ2 となるように形成された部材であり、耐久性、耐腐食性に富む素材であるポリエステル繊維、やしマットなどを用いて形成されている。
【００１７】
前記可撓性ネット材２は、平面視において前記不織布１とほぼ同じ形状であり、かつ幅１ｍ当たりの引っ張り強度が０．５〜４トン程度で、目合いが５〜７×５〜８ｍｍ程度となるように形成されている。前記ネット材２は、耐久性に富む繊維、たとえばナイロンやポリエステル、アラミド、カーボン、ポリアセタールなどの繊維を用いて、格子状に成形したものであるが、上記の繊維による線条を用いて、上記と同様の目合いの網状体に編組したものにしてもよい。
【００１８】
前記芝生マット３は、複数の芝３ａ、３ａ…と、芝３ａ、３ａ…の根によって保持される土３ｂとからなる。
【００１９】
前記植生マットＤは、芝生マット３が形成される主体部４と、この主体部４の周縁に形成され、芝生マット３が形成されない周縁部５とからなる。すなわち、前記主体部４は、不織布１とネット材２と芝生マット３とからなる部分であり、前記周縁部５は、不織布１とネット材２とからなる部分である。
【００２０】
前記周縁部５は、植生マットＤの幅方向両側に形成された、たとえば５０ｍｍ幅の周縁部分５ａ、５ｂと、植生マットＤの長手方向の一方に形成された、たとえば２５０ｍｍ幅の周縁部分５ｃと、植生マットＤの長手方向の他方に形成された、たとえば５０ｍｍ幅の周縁部分５ｄとからなる。
【００２１】
図３および図４（Ａ）〜（Ｄ）は、前記植生マットＤの製造方法を示すための分解斜視図および説明図である。
前記植生マットＤは、以下のようにして製造される。すなわち、まず、図４（Ａ）に示すように、圃場６に不織布１を敷設した後、この不織布１の上に可撓性を有するネット材２を重ね（図４（Ｂ））、このネット材２の上から別途圃場６で生育させた芝生マット３を敷き詰める（図４（Ｃ））。そして、芝３ａの根が不織布１およびネット材２に絡まった段階で（図４（Ｄ））、不織布１の下側に伸びた芝３ａの根を切断しつつ、前記ネット材２を不織布１ごと圃場６から剥がし取ることで、植生マットＤの製造が完了する。
【００２２】
なお、上記の植生マットＤの製造方法において、植生マットＤの製造開始時にネット材２の周辺部に角材Ｋなどを配置し、植生マットＤの製造が完了した段階で、この角材Ｋなどを取り出すようにすれば、植生マットＤに、芝生マット３が形成されない前記周縁部５を設けることができる。
【００２３】
また、上記の角材などの配置を省略して、植生マットＤ製造後に芝生マット３の周辺部を崩し取ることで、前記周縁部５を形成するようにしてもよい。
【００２４】
なお、上記の周縁部分５ａ〜５ｄの各端部に、ネット連結時の目ずれ防止のために、２〜５ｃｍ程度の幅で網目を密にした部分を形成しておくことが望ましい。
【００２５】
上記の構成からなる植生マットＤの製造方法によれば、植生マットＤの下面に不織布１が形成されていることから、植生マットＤの下方へ進入する芝３ａの根の量が、不織布１を設けない場合に比べて少なくなり、圃場６から植生マットＤを剥がし取るという作業を、より小さな力で行うことが可能となる。
【００２６】
なお、植生マットＤのネット材２に対する不織布１の装着は、芝生マット３の芝３ａの根を不織布１およびネット材２に絡ませることによって行うことができるが、これに加えて、たとえば紐や接着剤などを用いて装着するようにしてもよい。
【００２７】
植生マットＤの製造方法は上記の構成に限るものではなく、たとえば以下に示す構成としてもよい。すなわち、まず、圃場６に不織布１を敷設した後、この不織布１の上に可撓性を有するネット材２を重ね、ネット材２の上から芝３ａのランナーを植えて覆土を施し、芝３ａの根が不織布１およびネット材２に絡まり、前記ランナーが芝生マット３に育成した段階で、不織布１の下側に伸びた芝３ａの根を切断しつつ、前記ネット材２を不織布１ごと圃場６から剥がし取るようにしてもよい。
【００２８】
また、さらに他の植生マットＤの製造方法として、不織布１を適宜たとえば作業台上に展開させて、この上に可撓性を有するネット材２を重ね、さらにこの上に芝生マット３を配置し、この三者をステイプルなどによる結束や、その他、縫製などの連結手段（ともに図示せず）によって一体化させることによっても、植生マットＤを得ることができる。
【００２９】
この製造方法によれば、不織布１およびネット材２には芝生マット３の芝３ａの根が絡まっていないものの、この三者が連結手段によって一体化されていることから、植生護岸に際して、周縁部５の重ね合わせ部にアンカーを打設することで、実質的に芝生マット３を、不織布１およびネット材２を介して法面に強固に張り付けることができるのであり、やがては時を経て、芝生マット３の芝の根が不織布１およびネット材２に絡みつつ、法面に根張りするのであって、この製造方法によれば、予め生育させた芝生マット３を用いることに加えて、芝生マット３の不織布１およびネット材２への根絡みを待つ必要がないことから、その時間分、植生マットＤの製造時間をさらに短縮することができるのである。
【００３０】
次に、前記植生マットＤの施工方法について、図１、図４（Ｅ）、（Ｆ）および図５を用いて説明する。なお、図１において、Ｒは、水の流れる方向である。  植生護岸のために、河川法面Ｎに植生マットＤを施工するには、まず、図１に示すように、法尻の堪水域またはかなりの期間堪水する部分Ａを適宜掘削して、この掘削部分Ａに、たとえばカゴマット７の張り工法を実施（その他、捨て石やフトンカゴの敷設も好適である。）する。
【００３１】
この際、カゴマット７の下側に、上記のネット材２と同様のネット材８を適宜の幅にわたって敷き込んで、その上辺部８ａを、カゴマット７の上部の法面Ｎ側（護岸域側）に突出させておく。一方、想定される増水時の最高水位付近、好ましくは図５に示すように、最高水位Ｈよりもやや上部側の護岸域にも、上記のネット材２と同様のネット材９を、その川側の突出辺部９ａを突出させて埋設しておく。
【００３２】
さらに、護岸域内において、上下のネット材９、８にわたり、上記のネット材２と同様のネット材１０を埋設しておく。このネット材１０は、増水時の流速を勘案して、たとえば川の流れる方向に１０ｍ〜３０ｍの間隔で、かつ一部１０ａを下流側に向けて露出させるようにして埋設される。
【００３３】
なお、前記ネット材９、１０は、必要に応じてアンカー１１止めすることが望ましい。
【００３４】
そして、図１に示すように、たとえば植生マットＤの長手方向一方の周縁部分５ｃにフック部材１２を引っかけて、クレーン１３などを利用して、上記構成の植生マットＤを、たとえば護岸域の下流側から上流側に向けてかつ護岸域の下部側から上部側に向けて法面Ｎに張設するのである（図４（Ｅ）参照）。
【００３５】
このとき、護岸域の最下部に配置される植生マットＤ、Ｄ…については、カゴマット７の下側に敷き込まれたネット材８から突出させた前記上辺部８ａに、ネット材２の他方の周縁部分５ｄを上方から重ね合わせて、この両者８ａ、５ｄにアンカー１１を打設する。
【００３６】
また、護岸域の上下方向において隣り合う植生マットＤ、Ｄについては、下部側の植生マットＤの上部側周縁部分５ｃに、上部側の植生マットＤの下部側周縁部分５ｄを上方から重ね合わせて、この両者５ｃ、５ｄにアンカー１１を打設するのである。
【００３７】
さらに、護岸域の最上部に配置される植生マットＤについては、それの上部側周縁部分５ｃを、ネット材９の突出辺部９ａに上方から重ね合わせて、この両者５ｃ、９ａにアンカー１１を打設するのであるが、この際、植生マットＤの長さ寸法の関係で、植生マットＤの上端が突出辺部９ａを越えることがあり、この場合は、突出辺部９ａの重なり部分にアンカー１１を打設すればよく、あるいは、ネット材２を切断して、植生マットＤの長さ寸法を調整し、両者５ｃ、９ａを重ね合わせるようにしてもよいのである。
【００３８】
一方、護岸域の下流側から上流側に向けて張設される植生マットＤ、Ｄ…については、下流側の植生マットＤの上流側周縁部分５ｂに、上流側の植生マットＤの下流側周縁部分５ａを上方から重ね合わせて、この両者５ｂ、５ａにアンカー１１を打設するのであり、かつネット材１０に対しては、植生マットＤの上流側周縁部分５ｂを重ね合わせて、この両者１０、５ｂをコイル線材やステイプルなどの連結手段（図示せず）によって連結して、この重ね合わせ部に、上流側の植生マットＤの下流側周縁部分５ａを重ね合わせ、これら三者５ａ、５ｂ、１０にアンカー１１を打設するのである。
【００３９】
この際、植生マットＤの幅寸法の関係で、植生マットＤがネット材１０をオーバーすることがあるが、この場合は、前記連結手段による連結を止めて、ネット材１０への重なり部分にアンカー１１を打設すればよく、あるいはネット材２を切断して、植生マットＤの幅寸法を調整し、両者５ｂ、１０を連結手段によって連結した上で、三者５ａ、５ｂ、１０にアンカー１１を打設してもよいのである。
【００４０】
そして、上下ならびに左右方向で隣り合う植生マットＤ、Ｄのそれぞれの重ね合わせ部と、護岸域上部側の植生マットＤとネット材９との重ね合わせ部とについては、これらのネット材２、９を、予め護岸域に埋設した接続金具１４に係止させるのであり、かつ必要に応じて植生マットＤを覆うように、芝生マット３に覆土１５を施すのである。
【００４１】
なお、上記の実施の形態では、図１および図５に示すように、ネット材９の埋設域よりも上方の護岸域に、不織布１およびネット材２を一体化させていない芝生マット１６を張設しているが、この芝生マット１６に代えて、上記構成の植生マットＤを張設してもよいことは言うまでもない。
【００４２】
上記の植生マットＤの施工方法によれば、その施工方法に用いる植生マットＤが、芝生マット３の強い表層根が不織布１およびネット材２に強固に根絡みした保形性の高い植生マットＤであって、隣り合う植生マットＤ同士を重ね合わせて、アンカー１１などで法面Ｎに固定することから、実質的に四側辺が互いに連結された芝生マット３を、不織布１およびネット材２を介して法面Ｎに強固に張り付けることができるのであり、そして、芝生マット３は時を経て法面Ｎに強固に根張りすることになる（図４（Ｆ）参照）。
【００４３】
従って、法面Ｎ全体の均一な緑化植生を期することができる上に、たとえば植生マットＤの施工直後に河川が増水したとしても、植生マットＤは、流水によって簡単に崩れたり剥がれたりしないのであって、施工直後から高い親水護岸の機能を発揮するのであり、景観上で優れることはもちろん、流水による法面Ｎの浸食も効果的に防止されるのである。
【００４４】
特に、隣り合う植生マットＤ、Ｄの上部側ならびに上流側のネット材２を、下部側ならびに下流側の植生マットＤのネット材２に上方から重ね合わせているので、増水の際、ネット材２の端縁は流水に逆らわず、水がスムーズに流れるのであって、植生マットＤの剥がれが一層効果的に防止されるのである。
【００４５】
また、植生マットＤの下面には、不織布１が形成されており、この不織布１は、芝生マット３と同様に、増水時などの流水による植生マットＤの裏側からの土の吸い出しを防止する吸出し防止効果を有している。このため、たとえば施工当初において芝３ａの生育が不十分であることが原因で芝３ａの欠損箇所が生じたり、施工後における雑草の侵入（芝生が株状の植物に置換されることを含む）や芝３ａの衰退により芝３ａの欠損域が拡大したりすることなどによって、植生マットＤに芝生マット３が欠落した部分が生じたとしても、前記不織布１が、その部分から土が吸い出されることを防止し、欠落した芝３ａの機能を補完することができる。さらに、芝生マット３が形成されない周縁部５や植生マットＤのつなぎ目の部分の下側から土や砂が吸い出されることも、不織布１によって防止することが可能となる。
【００４６】
なお、上記の吸出し防止効果を得るために、不織布１は、法面Ｎを形成する土や砂などを通しにくく、かつ芝生マット３の芝３ａの根をある程度通す複数の穴もしくは隙間を有するものが望ましい。
【００４７】
また、植生マットＤには、その接合部分に不織布１が設けられていることから、流水による土や砂などの吸い出し防止のために、吸い出し防止部材（たとえば吸出し防止シート）などを現場で施工する手間が省け、施工面でコストを下げることが可能となる。
【００４８】
さらに、不織布１が土や砂を通さないことから、施工後の植生マットＤに対して周囲から飛散侵入してきた雑草の成長を抑制、妨害し、ひいては雑草の侵入を防止することができる。
【００４９】
上記の構成からなる植生マットＤの施工方法における植生マットＤの法面Ｎへの張設は、植生マットＤの重量に応じて、上述したようなクレーン１３などを利用してもよいし、人力で行ってもよい。
【００５０】
植生マットＤの施工方法は上述の構成に限るものではなく、たとえば以下に示すような構成としてもよい。すなわち、まず不織布１を法面Ｎに張設し、この不織布１の上から、予め一体化された可撓性を有するネット材２と芝生マット３を、たとえばステイプルなどによる結束や、縫製などの連結手段を用いて張設するのである。
【００５１】
なお、不織布１を法面Ｎに張設するには、たとえば不織布１の周縁部や適宜の部位を前記ネット材８、９、１０などにアンカー止めすればよく、このアンカー止めを、前記ネット材２および芝生マット３の張設に兼用させてもよい。
【００５２】
また、前記不織布１は、法面Ｎの全面にわたって張設するようにしてもよいが、施工される植生マットＤのつなぎ目部分に相当する箇所のみに張設するようにすれば、不織布１の必要量を減らすことができ、コストを下げることが可能となる。
【００５３】
上記の構成からなる植生マットＤと、その製造方法および施工方法によれば、不織布１と芝生マット３とを組み合わせたことにより、植生マットＤに接触する流水の速度が３（ｍ／ｓ）以上となっても、流水による土や砂の吸い出し防止を図ることができ、また、強靱なネット材２に芝生マット３の芝３ａの根茎が絡むことにより、流水によって芝生が容易に剥がれることがなく、さらに、施工直後から河川法面の浸食防止および景観向上を図ることができる。
【００５４】
また、一般の吸い出し防止材を用いる従来の植生マットの施工では、一般の吸い出し防止材を植生マットの直下に施工すると、芝生などの根茎が法面に侵入できなくなるため、一般の吸い出し防止材を下層に施工した後、１０〜３０ｃｍ程度の覆土をし、その上に芝生などを張り付けていた（つまり少なくとも２工程にわたる施工が必要であった）が、上記の構成からなる植生マットＤと、その施工方法によれば、１工程のみで施工を完了することができるのである。
【００５５】
上記ネット材２の周縁部分５ａ、５ｂ、５ｃ、５ｄの重ね合わせ部の連結構造として、周縁部分５ａ〜５ｄを下面側に折り畳んで、これを接続金具１４に係止させるようにしてもよく、必要に応じてアンカー１１を打設してもよいのである。
【００５６】
なお、植生マットＤとして、これの四側辺に周縁部分５ａ〜５ｄを張り出させているが、幅方向の両側に周縁部分５ａ、５ｂを張り出させた植生マットＤと、長手方向の両側に周縁部分５ｃ、５ｄを張り出させた植生マットＤとを、法面Ｎに交互に配置して、これの重ね合わせ部にアンカー１１を打設することによっても、芝生マット３の四側辺を互いに連結することができる。
【００５７】
あるいは、四側辺に周縁部分５ａ〜５ｄを張り出させた植生マットＤと、周縁部５が形成されていない植生マットＤとを、法面Ｎに交互に配置して、これの重ね合わせ部にアンカー１１を打設することによっても、芝生マット３の四側辺を互いに連結することができる。また、周縁部分５ａ〜５ｄを設けずに、植生マットＤそのものにアンカー１１を打設してもよい。
【００５８】
図６は、本発明の第二実施例に係る植生マットＤ2 の構成を概略的に示す分解斜視図である。なお、上記実施例において示したものと同一構造の部材については、同じ符号を付し、その説明を省略する。
植生マットＤ2 の構成および効果は、上記第一実施例のものとほとんど同じであるが、相違点は、不織布１が不織布１’となっている点である。
【００５９】
前記不織布１’は、平面視が矩形状ではなく、ほぼ額縁形状となっており、周縁部分５ａ〜５ｄからなる前記周縁部５のみに形成されている。なお、周縁部５は、周縁部分５ａ〜５ｄからなるものに限られず、たとえば周縁部分５ａおよび５ｂのみを有しているものでもよい。
【００６０】
上記の構成からなる植生マットＤ2 では、不織布１’の使用量を減らすことができるため、コストを下げることが可能となる。また、不織布１’は、芝生マット３が形成されない周縁部５のみに設けられることから、芝生マット３の根を通さないものでもよく、法面Ｎを構成する土や砂を通さないものであればよい。
【００６１】
また、上記の構成からなる植生マットＤ2 では、芝生マット３の芝３ａの根が不織布１’およびネット材２に絡むことを利用して、ネット材２に対する不織布１’の装着が自然に行われるということが期待できないため、ネット材２に対する不織布１’の装着は、適宜の手段で行うことが望ましい。
【００６２】
なお、植生マットＤ2 の製造方法および施工方法は、植生マットＤのものとほとんど同じであるため、その説明を省略する。
【００６３】
【発明の効果】
以上説明したような構成からなる本発明によって、流水による土の吸い出しを防止することができ、かつ施工面でのコストを下げることが可能な植生マットおよびその施工方法を提供することができる。
【図面の簡単な説明】
【図１】  本発明の第一実施例に係る植生マットとその施工方法の構成を概略的に示す斜視図である。
【図２】  上記実施例の構成を概略的に示す分解斜視図である。
【図３】  上記実施例における植生マットとその製造方法の構成を概略的に示す斜視図である。
【図４】  （Ａ）〜（Ｄ）は、上記実施例における植生マットの製造方法の構成を概略的に示す説明図であり、（Ｅ）および（Ｆ）は、上記実施例における植生マットの施工方法の構成を概略的に示す説明図である。
【図５】  上記実施例における植生マットの施工方法の構成を概略的に示す縦断面図である。
【図６】  本発明の第二実施例に係る植生マットとその製造方法の構成を概略的に示す分解斜視図である。
【符号の説明】
１…不織布、２…ネット材、３…芝生マット、Ｄ…植生マット。
【図１】
0004510189.tif 000002
【図２】
0004510189.tif 000003
【図３】
0004510189.tif 000004
【図４】
0004510189.tif 000005
【図５】
0004510189.tif 000006
【図６】
0004510189.tif 000007